(57)【特許請求の範囲】
【請求項１】
雌留め具に備えられている雌孔に差し入れられると共に該雌留め具に備えられている掛合手段に係脱可能に掛合される凹部よりなる掛合部を短幅側端にある一方の面に備えた楕円柱状をなす突起部と、この突起部の下部側に該突起部に一体に設けられている取付け鍔状部とを備え、かつ、前記掛合部をなす前記凹部を前記取付け鍔状部の下面から前記突起部の側に向けて設けられる孔に連続するように設けてあり、取付け対象物に対して、この取付け対象物に設けられている取付け穴に前記突起部を挿通し、且つ、この取付け穴を取り囲む取付け対象物の裏面側に前記取付け鍔状部を当接させるようにした雄留め具本体と、
この雄留め具本体の前記突起部の挿通される組付け孔を板厚方向に有すると共に、該組付け孔に前記取付け対象物から突き出される前記雄留め具本体の突起部を挿通させるようにして該取付け対象物の表面側に添装される取付けプレートとを有し、
且つ、前記取付け対象物を挾んで備えられる雄留め具本体と取付けプレートとを掛止する掛止突片及び該掛止突片の掛止される掛止部とよりなる掛止手段の一方が前記雄留め具本体に、他方が前記取付けプレートに備えられていることを特徴とする雄留め具。
【発明の詳細な説明】
【０００１】
【発明の属する技術分野】
この発明に係る雄留め具は、雌留め具の雌孔に抜き差し可能に差し込み掛合される掛合部を備えた突起部を有すると共に留めつけ対象物の一方に取付け用いられる雄留め具であって、これに対して引っ張り方向などに向けた外力が作用した場合にあっても取付け対象物に対する取り付け状態を確実に維持し得るようにした雄留め具の提供に関する。
【０００２】
【従来の技術】
掛合部を有する突起部を備えた雄留め具を留めつけ対象物の一方の側に、また、この雄留め具の突起部の差し込まれる雌孔内において該突起部に備えられている掛合部に対して係脱可能に掛合される操作プレートを備えた雌留め具を留めつけ対象物の他方の側に夫々備えつけると共に、この雌雄をなす留め具の係脱可能な掛合によって留めつけ、あるいは、当該留めつけを解除して、当該留めつけ対象物の留めつけ状態を解消することが一般になされている。
【０００３】
かかる留めつけ対象物の係脱可能な留めつけに用いられる雄留め具は、皮生地などの取付け対象物に対して添装される取付け盤部と、この取付け盤部から一体に突設されて雌孔に差し入れられる突起部とを備えて構成されており、皮生地などの取付け対象物の表面に該雄留め具の取付け盤部を添装すると共に、当該皮生地などの取付け対象物の裏面に添装した裏座の掛合孔に対して、この雄留め具を構成する取付け盤部の下面側に突き出し状態に設けた掛合突片を、当該掛合突片の弾性変形を利用して差し入れると共に、この掛合突片に備えられた掛合爪を、この掛合突片の弾性復帰作用を利用して前記掛合孔の孔縁に引っ掛けるようにして当該雄留め具を皮生地などの取付け対象物に取付け用いるようにしていた。
【０００４】
【発明が解決しようとする課題】
しかしながら、皮生地などの取付け対象物に対して、前記の手法で取付けられている雄留め具にあっては、雄留め具の突起部に対して、この雄留め具を取付け対象物から引き離す向きに力が作用した場合、例えば、雌雄留め具を留めつけの状態で、夫々留めつけ対象物を引き離すようにした場合、裏座の掛合孔に差し入れ掛合されている雄留め具における掛合突片の掛合爪に変形を生ずることがあり、これによって当該掛合孔に対する掛合が外れる虞れがあった。
【０００５】
かかる点から、掛合突片に設けられている掛合爪における掛合孔の孔縁部に対する引っ掛り面を大きく、しかも、当該掛合爪が極力変形しないようにして、相互の掛合力を高めるようにした場合、裏座に対する雄留め具の組付けの容易性が損われることとなる。かかる点から、例えば、掛合突片と、これに備えられる掛合爪を比較的変形しない形状、寸法、材質のものとして用意し、しかも、掛合爪の掛合孔の孔縁部に対する引っ掛り代を比較的広目に構成するようにした場合、掛合孔内に差し込まれる当該掛合爪を有する掛合突片を、この掛合孔内において弾性変形し、しかも、当該掛合爪が、当該掛合孔を通り抜けた位置で当該掛合孔の孔縁部に掛合するように弾性復帰可能な長さを有するものとして構成する必要があり、雄留め具の取付け対象物が比較的薄い皮生地材などである場合には、前記弾性変形に必要な長さを掛合突片にもたらすことができず、当該掛合爪の掛合孔に対する掛合力の強化には自ずと一定の限界があった。
【０００６】
この発明は、雌雄留め具によって留めつけられる取付け対象物に対して容易に取付けられると共に、この取付け対象物が薄手の、例えば皮生地などの取付け対象物であっても、確実に取付けることができる雄留め具の提供を目的としている。
【０００７】
【課題を解決するための手段】
この発明に係る雄留め具は、前記の目的を達成するために、雌留め具に備えられている雌孔に差し入れられると共に該雌留め具に備えられている掛合手段に係脱可能に掛合される凹部よりなる掛合部を短幅側端にある一方の面に備えた楕円柱状をなす突起部と、この突起部の下部側に該突起部に一体に設けられている取付け鍔状部とを備え、かつ、前記掛合部をなす前記凹部を前記取付け鍔状部の下面から前記突起部の側に向けて設けられる孔に連続するように設けてあり、取付け対象物に対して、この取付け対象物に設けられている取付け穴に前記突起部を挿通し、且つ、この取付け穴を取り囲む取付け対象物の裏面側に前記取付け鍔状部を当接させるようにした雄留め具本体と、
この雄留め具本体の前記突起部の挿通される組付け孔を板厚方向に有すると共に、該組付け孔に前記取付け対象物から突き出される前記雄留め具本体の突起部を挿通させるようにして該取付け対象物の表面側に添装される取付けプレートとを有し、
且つ、前記取付け対象物を挾んで備えられる雄留め具本体と取付けプレートとを掛止する掛止突片及び該掛止突片の掛止される掛止部とよりなる掛止手段の一方が前記雄留め具本体に、他方が前記取付けプレートに備えられている構成としてある。
【０００８】
このように構成される雄留め具は、取付け対象物の裏面側に雄留め具本体の取付け鍔状部が当接されると共に、この取付け対象物の裏面側にある取付け鍔状部と、この取付け対象物の表面側に添装される取付けプレートとの間において取付け対象物を挾持するように組付けられることとなり、この取付け雄留め具に対して、これを取付け対象物から引き離す向きに付加される外力は、この雄留め具の取付け鍔状部の接している該取付け対象物の裏面側に作用して取付けプレートに作用し、これらの外力を面的に受けることができる。
【０００９】
【発明の実施の形態】
以下、本発明の典型的な実施の形態に係る雄留め具Ａを詳細に説明する。
図１は、この雄留め具Ａを構成する雄留め具本体Ａ’と取付けプレートＡ”とを取付け対象物Ｃに取付ける前の状態を斜視図で示している。図２は、この取付け対象物Ｃに組付けられた雄留め具Ａを開口１４ｃの側を向いた断面として示している。図３は、雄留め具Ａを雌留め具Ｂに対して引っ掛ける方向での断面として示している。
図４及び図５は雄留め具本体Ａ’を示すものであって、図４では、これを突起部１０の側から見て一部を破断することで、図５は、これを当接面１１ａと反対の側から見て示している。
図６及び図７は取付けプレートＡ”を示すものであって、図６では、これを当接面２０ａと反対の側から、図７では、これを当接面２０ａの側から見て示している。
図８は、操作プレート６０を備えた雌留め具本体４０を、その箱状突き出し部４２の側から見て示している。また、図９は、この雌留め具Ｂを構成する雌留め具本体４０、操作プレート６０、及び取付けプレート５０と、当該雌留め具Ｂを取付ける取付け対象物Ｅを斜視図の状態で示している。
図１０〜図１３は雄留め具Ａを雌留め具Ｂに留めつける各操作を示すものであって、図１０は雄留め具Ａを雌留め具Ｂに留めつける前の状態を、図１１は、雄留め具Ａの突起部１０を雌留め具Ｂの雌孔４６に差し込んでいる状態を、図１２は、雄留め具Ａと雌留め具Ｂとを留めつけた状態を、図１３では、この留めつけ状態にある雄留め具Ａから雌留め具Ｂを外した状態を示している。
【００１０】
この実施の形態に係る雄留め具Ａは、雌留め具Ｂに備えられている雌孔４６に差し入れられると共に該雌留め具Ｂに備えられている掛合手段Ｆに係脱可能に掛合される掛合部１２を備えた突起部１０と、この突起部１０の下部側に該突起部１０に一体に設けられている取付け鍔状部１１とを備え、取付け対象物Ｃに対して、この取付け対象物Ｃに設けられている取付け穴３１に前記突起部１０を挿通し、且つ、この取付け穴３１を取り囲む取付け対象物Ｃの裏面側Ｃａに前記取付け鍔状部１１を当接させるようにした雄留め具本体Ａ’と、
この雄留め具本体Ａ’の前記突起部１０の挿通される組付け孔２１を板厚方向に有すると共に、該組付け孔２１に前記取付け対象物Ｃから突き出される前記雄留め具本体Ａ’の突起部１０を挿通させるようにして該取付け対象物Ｃの表面側Ｃｂに添装される取付けプレートＡ”とを有し、
且つ、前記取付け対象物Ｃを挾んで備えられる雄留め具本体Ａ’と取付けプレートＡ”とを掛止する掛止突片及び該掛止突片の掛止される掛止部とよりなる掛止手段Ｄの一方が前記雄留め具本体にＡ’、他方が前記取付けプレートＡ”に備えられている構成としある。
【００１１】
かかる実施の形態に係る雄留め具Ａを、更に添付の図面を参考にして具体的に説明する。
【００１２】
この図面に示される雄留め具Ａは、典型的には射出成形などの型成形により提供されるプラスチック製の雄留め具本体Ａ’と、同様に射出成形などの型成形により提供されるプラスチック製の取付けプレートＡ”とを備えて構成してあり、雌雄留め具の留めつけ対象である一方の取付け対象物Ｃを、その表裏面から挾むように取付け用いられる構成としてある。
【００１３】
かかる雄留め具Ａを構成する雄留め具本体Ａ’は、横断面が楕円形状をなす柱状体、即ち、上面１０ｂが平らな楕円柱状をなす突起部１０と、この突起部１０の下部側に該突起部１０に一体となるように設けられている取付け鍔状部１１とを備えた構成としてある。
【００１４】
この突起部１０の下部側に備えられる取付け鍔状部１１は、その上面側を取付け対象物Ｃの裏面側Ｃａに接触する平らな当接面１１ａとした盤状体をなす構成としてあり、楕円柱状をなす前記突起部１０の外周から、この突起部１０の軸方向に直交する向きに張り出す楕円形状をなす厚板状、即ち盤状体をなすように構成してある。
【００１５】
また、この取付け鍔状部１１には、楕円形状をなす当該取付け鍔状部１１の長手側端に掛止手段Ｄの一方を構成する掛止部１３が設けてある。
【００１６】
この掛止部１３は、取付けプレートＡ”に備えられる掛止手段Ｄの他方を構成する掛止突片２２の突片部２２ａが差し込まれる孔部１３ａを前記取付け鍔状部１１の厚さ方向に透設してあると共に、この孔部１３ａ内にあって、前記掛止突片２２に備えられている掛止突部２２ｂが引っ掛り掛止される隆起部１３ｂを備えた構成としてある。
【００１７】
この掛止部１３は、更に具体的には、横断面が略半円状をなす孔部１３ａを、夫々の円弧状の張り出し側を向き合せるように前記取付け鍔状部１１に設けてあると共に、この半円弧状部１３ｃの弧状端を結ぶ平らな面１３ｄに隆起部１３ｂを、この平らな面１３ｄの横方向に亘るように設けてある。
【００１８】
この孔部１３ａの平らな面１３ｄに設けられている隆起部１３ｂは、前記平らな面１３ｄから縦断面において山形状に突き出す構成とされており、該平らな面１３ｄの上部側から、この孔部１３ａの半円弧状部１３ｃの側に向けて漸次突き出す傾斜面１３ｂ’と、この傾斜面１３ｂ’の先端と該平らな面１３ｄとの間に亘るように該平らな面１３ｄに直交する向きに設けられた掛合面１３ｂ”とを備えた構成としてある。
【００１９】
また、前記突起部１０の短幅側端にある一方の面１０ａには、この面１０ａの長さ方向に亘るように凹部１４が設けてあり、この凹部１４の上面１４ａと該突起部１０の上面１０ｂとの間が該突起部１０の頭部１０ｃとされ、且つ、前記上面１４ａを備えて構成される凹部１４部分が掛合部１２として構成されている。
【００２０】
尚、ここで突起部１０に設けられる凹部１４は、面１０ａにおける取付け鍔状部１１と接する位置を下縁として設けられる開口１４ｃにおける上縁と両側縁から面１０ｄの側に向けて陥設されている平らな面として構成される上面１４ａ、両側面１４ｂ、１４ｂとを備え、且つ、取付け鍔状部１１の下面から該突起部１０の側に向けて設けられている孔１５に連通するように設けられる構成としてある。例えば、この取付け鍔状部１１の下面側から両側端を平坦面とした楕円柱状をなす成形型を、この成形型の幅側にある一方の面を、前記突起部１０の成形に用いられる楕円凹状部を備えた成形型において前記面１０ａに対応する成形型面における前記凹部１４の開口１４ｃを構成する型面部分に接する構成とし、前記楕円柱状をなす成形型を前記楕円凹状部を備えた成形型より抜き出すことによって当該凹部１４を構成することができる。
【００２１】
かくして構成される雄留め具本体Ａ’は、取付け対象物Ｃに設けられている取付け穴３１に、その裏面側Ｃａ側から突起部１０を差し入れ、この取付け対象物Ｃの裏面側Ｃａに対して取付け鍔状部１１の上面側にある当接面１１ａを接しさせるようになすと共に、前記掛止部１３を構成している孔部１３ａが該取付け対象物Ｃに設けられている孔３２に連通するように当該取付け対象物Ｃに対して添装用いられる。
【００２２】
かかる雄留め具本体Ａ’を取付け対象物Ｃに取付ける取付けプレートＡ”は、前記雄留め具本体Ａ’における突起部１０が嵌め込み状に差し通される楕円形状をなす組付け孔２１を板厚方向に透設された略楕円形状をなす厚板状の環状板２０として構成してあり、前記組付け孔２１を前記雄留め具本体Ａ’における突起部１０が略がたなく挿通される形状、寸法とされ、この雄留め具本体Ａ’における突起部１０を該組付け孔２１に差し入れた際に、該雄留め具本体Ａ’における取付け鍔状部１１に略対応して、この取付け鍔状部１１との間で取付け対象物Ｃを都合良く挾持できる寸法、形状を備えたものとして構成されている。
【００２３】
かかる取付けプレートＡ”は、その当接面２０ａとされる下面側に、前記取付け対象物Ｃに添装状態に組付けられている雄留め具本体Ａ’における掛止部１３を構成する孔部１３ａに対して、該取付け対象物Ｃに設けられている孔３２を介して差し込み掛合される掛止突片２２を、前記掛止部１３の構成する掛止手段Ｄに対応する掛止手段Ｄとして備えた構成としてある。
【００２４】
この取付けプレートＡ”の環状板２０の当接面２０ａから、下方に向けて垂設状態に突設される掛止突片２２は、該環状板２０の長手側端にあって、互に弧状面部２２ａ’を向き合せるように設けられる横断面が半弧状をなす突片部２２ａと、この突片部２２ａの先端にあって、前記弧状面部２２ａ’の側から、前記突片部２２ａの垂直平坦面２２ａ”の前方に突き出す掛止突部２２ｂとを備えた構成としてある。
【００２５】
この掛止突片２２に備えられる掛止突部２２ｂは、突片部２２ａの垂直平坦面２２ａ”から、該垂直平坦面２２ａ”の前方に隆起する隆起突部の形態に設けてあると共に、この掛止突部２２ｂの突き出し前面に、該掛止突部２２ｂの幅方向に亘るように掛合凹溝２２ｃを設け、この掛合凹溝２２ｃに対して、前記雄留め具本体Ａ’に設けられている孔部１３ａ内にある隆起部１３ｂが掛合される構成としてある。
【００２６】
この掛止突部２２ｂに備えられる掛合凹溝２２ｃは、掛止突片２２の頂端側にあって、前記当接面２０ａに向き合い、しかも、この当接面２０ａに平行な掛止面２２ｃ’と、この掛止面２２ｃ’の内側端から掛止突部２２ｂの環状板２０側にある側端に向けて斜上して伸びる傾斜面２２ｃ”とを備えて構成されており、前記取付け対象物Ｃの孔３２から雄留め具本体Ａ’の孔部１３ａに差し込まれる当該掛止突片２２の掛合凹溝２２ｃに該孔部１３ａ内にある隆起部１３ｂが都合良く収まると共に、この隆起部１３ｂの掛合面１３ｂ”に該掛止突部２２ｂの掛止面２２ｃ’が掛止される構成としてある。
【００２７】
尚、この取付けプレートＡ”に備えられる掛止突片２２は、この掛止突片２２を取付け対象物Ｃの裏面側Ｃａに添装した雄留め具本体Ａ’の孔部１３ａに差し入れた際に、この掛止突片２２の掛止突部２２ｂが該孔部１３ａ内にある隆起部１３ｂの傾斜面１３ｂ’に案内されながら、各掛止突片２２、２２が互に頂端側を近づけるように撓み変形した後、この傾斜面１３ｂ’を乗り超えて隆起部１３ｂの突端部分を掛合凹溝２２ｃ内に落し込むように弾性復帰されることから、当該掛止突片２２の弾性変形に必要な隙間１３ｅを、当該掛止突片２２の突片部２２ａの弧状面部２２ａ’の側方にある孔部１３ａに生ずるように構成してある。
【００２８】
かかる掛止突片２２の差し込み掛止に際しての当該掛止突片２２の撓み動作に用いられる隙間１３ｅは、孔部１３ａに差し込まれる掛止突片２２を該孔部１３ａに対して細身に構成すると共に、前記掛止部１３を構成する孔部１３ａの鉛直な半円弧状部１３ｃに対して、掛止突片２２の弧状面部２２ａ’の側を掛止突部２２ｂの側に向けて先窄まりの状態で傾斜した構成とすることによって構成してあり、この隙間１３ｅは、前記傾斜面として構成される弧状面部２２ａ’と前記鉛直な半円弧状部１３ｃとの間に当該孔部１３ａに差し込まれる掛止突片２２の撓み変形空間として機能するに充分な広さを備えたものとして構成される。
【００２９】
かかる雄留め具本体Ａ’、取付けプレートＡ”を取付ける取付け対象物Ｃは、例えばハンドバッグ、鞄、袋物などの本体部を構成する皮材などの取付け生地材３０、特に、表生地材などであって、前記雄留め具本体Ａ’の突起部１０の挿通される取付け穴３１と、前記掛止突片２２の挿通される孔３２などを設けて用意される。
【００３０】
かかる構成を備えて用意された雄留め具本体Ａ’を、取付け対象物Ｃの裏面側Ｃａから、この雄留め具本体Ａ’の突起部１０を該取付け対象物Ｃの取付け穴３１に差し入れると共に該雄留め具本体Ａ’の取付け鍔状部１１の当接面１１ａを該取付け対象物Ｃの裏面側Ｃａに当接させるようにして取付け対象物Ｃに添装し、次いで、取付けプレートＡ”の環状板２０の当接面２０ａを取付け対象物Ｃの表面側Ｃｂの側に向けて、この取付けプレートＡ”の組付け孔２１内に前記雄留め具本体Ａ’の突起部１０を収め入れるようにして、前記当接面２０ａを取付け対象物Ｃの表面側Ｃｂに当接すると共に、孔部１３ａ内に差し込まれた掛止突片２２の掛止突部２２ｂにある掛合凹溝２２ｃに対して隆起部１３ｂを掛止することによって雄留め具Ａを取付け対象物Ｃに取付ける。
【００３１】
このようにして取付け対象物Ｃに取付けられた雄留め具Ａは、この雄留め具Ａの突起部１０を直接引っ張り、あるいは、この雄留め具Ａの突起部１０に引っ掛けた雌留め具Ｂを引っ張り、あるいは、雄留め具Ａの突起部１０に引っ掛けた雌留め具Ｂの取付け対象物Ｅを引っ張り、あるいは、相互に留めつけ状態にある雄留め具Ａと雌留め具Ｂとを互に引き離す向きに引っ張るなどのように雄留め具本体Ａ’を取付け対象物Ｃの表面側Ｃｂ方向に引く力が作用した場合、この雄留め具本体Ａ’に作用した力を雄留め具本体Ａ’の取付け鍔状部１１の当接面１１ａの当接する取付け対象物Ｃの裏面側Ｃａと取付けプレートＡ”の環状板２０の当接面２０ａによって面的に受けることができる。
【００３２】
また、前記取付け鍔状部１１の当接面１１ａの当接される取付け対象物Ｃは、この取付け対象物Ｃが、前記雄留め具本体Ａ’の取付け鍔状部１１と、取付けプレートＡ”の環状板３０との間で挾持され、しかも、取付け対象物Ｃを介して雄留め具本体Ａ’と取付けプレートＡ”とが、雄留め具本体Ａ’の孔部１３ａに取付けプレートＡ”の掛止突片２２を差し込み掛止することで当該取付け対象物Ｃに対して取付けられる構成としてあることから、取付け鍔状部１１の当接面１１ａに対して、都合の良い当接面を安定に提供することができる。
【００３３】
かかる取付け対象物Ｃに取付け備えられた雄留め具Ａは、この雄留め具Ａに対して係脱可能に掛合される雌留め具Ｂを備えた取付け対象物Ｅを、この取付け対象物Ｅの雌留め具Ｂに当該雄留め具Ａを掛合させることによって取付け対象物Ｃに留めつけ状態とし、また、この雄留め具Ａと雌留め具Ｂとの掛合を解くことによって取付け対象物Ｃから解放するように用いられる。
【００３４】
かかる点から、この雄留め具Ａの掛合に用いられる雌留め具Ｂは、前記雄留め具Ａの突起部１０の差し入れられる雌孔４６と、この雌孔４６に差し入れられた雄留め具Ａの突起部１０の掛合部１２に対して係脱可能に掛合される掛合手段Ｆを備えたものであれば、いかなる形態の雌留め具Ｂであっても良く、雄留め具Ａと雌留め具Ｂとによって留めつけられる対象物の形態などに適合した雌留め具Ｂを当該雄留め具Ａに対応する雌留め具Ｂとして用いることができる。
【００３５】
図示の雌留め具Ｂは、例えば、ハンドバッグ、鞄などの蓋片をハンドバッグ、鞄などの本体に対して、その閉じ込み状態に維持する際に、この本体に設けた雄留め具Ａに対して、該蓋片を留めつける手段として当該蓋片の先端部などに備えつけ用いられる一例としての雌留め具Ｂを示している。
【００３６】
かかる典型的な図示の雌留め具Ｂは、掛合手段Ｆとして機能される操作プレート６０を摺動可能に備えた雌留め具本体４０と、この雌留め具本体４０を取付け対象物Ｅ、特に、取付け対象物Ｅの先端部分に取付ける取付けプレート５０とを備えて構成されている。
【００３７】
この雌留め具Ｂを構成する雌留め具本体４０は、楕円形状をなす厚板状の表面板４１の裏面側に、該裏面の前部側を除いた周側部に当接面４１ｂを残すように偏平な四角形の箱状突き出し部４２を当該表面板４１と共に構成するように、前部側を除いた三方、即ち、両側板部４２ａと後板部４２ｂとを該表面板４１から一体に垂設してあると共に、この各板部４２ａ、４２ｂの下端間を亘るように下面板４２ｃを前記表面板４１と平行となるように一体に設けてあり、この表面板４１と、箱状突き出し部４２を構成する両側板部４２ａ、後板部４２ｂと、下面板４２ｃとによって、前部側の開口された偏平な動作凹部４５を構成してある。また、この表面板４１は、該動作凹部４５の開口側にＶ状に凹む凹部４１ａを設けてあり、動作凹部４５内に組込まれる操作プレート６０の押動操作に際して都合の良い構成としてある。
【００３８】
また、この雌留め具本体４０には、前記表面板４１と、下面板４２ｃとに前記雄留め具Ａの突起部１０の差し込まれる雌孔４６を、この下面板４２ｃに設けた孔４６”の略直上に表面板４１の孔４６’を設けることで構成してある。
【００３９】
また、この雌留め具本体４０には、取付けプレート５０の掛止孔５１に備えられた掛止突部５２に差し入れ掛止される掛止突片４７が設けてあると共に、前記両側板部４２ａ、４２ａに操作プレート６０の板状部６１の両側に設けられている掛合突部６２が所定範囲で移動、掛合され得るように入れ込まれるスリット４８が設けてある。
【００４０】
かかる雌留め具本体４０の動作凹部４５に対して摺動可能に掛合手段Ｆとして機能する操作プレート６０が組付けてある。
この雌留め具本体４０に組付けられている操作プレート６０は、前記動作凹部４５の開口している前部側から、その先端を押し込み可能とされる板状部６１としてあり、この板状部６１の先端側に前記雌留め具本体４０の動作凹部４５の内奥側、この図示例にあっては後板部４２ｂで構成される動作凹部４５の内側面に弾性的に当接される一対の弾性突片６３、６３を、また、この板状部６１の両側端に、この板状部６１の側縁に平行で、且つ板厚方向に開設されたスリット６４を、更に、このスリット６４で区分された細長状の弾性片部６５の外側に掛合突部６２を備えた構成としてある。
【００４１】
また、この板状部６１は、この板状部６１の動作方向において、前記雌孔４６よりも幅を広くした掛合孔６７が設けてあり、前記弾性突片６３の備えられている側にある該掛合孔６７の孔縁から雄留め具Ａの突起部１０、特に、掛合部１２に掛合する掛合突片６６が突き出し状態に設けてある。
【００４２】
また、板状部６１の前端側、即ち、弾性突片６３の設けられている側と反対の側には押し込み鍔部６８が下方に屈曲状に設けてあり、動作凹部４５内に備えられた操作プレート６０の押し込みに際して、該動作凹部４５を構成する下面板４２ｃの前端に対して当接可能としてある。
【００４３】
かかる構成よりなる操作プレート６０は、この操作プレート６０を構成する板状部６１を動作凹部４５に対して、その掛止突部６２を、前記スリット４８における前端側４８ａに当接するように前記弾性突片６３を前記動作凹部４５の内奥面に当接した状態において、前記掛合孔６７が、その掛合突片６６を前記動作凹部４５の内奥側にある雌孔４６の孔縁から突き出すように該雌孔４６に連通されていると共に、この雌孔４６の孔縁から突き出している掛合突片６６が、該雌孔４６内に差し入れられる雄留め具Ａの突起部１０、特に、前記の頭部１０ｃによって動作凹部４５の内方に移動されるように組込んであると共に、この操作プレート６０における掛合突片６６を前記頭部１０ｃが通り抜けた際に、前記弾性突片６３の弾性復帰に伴って、該掛合突片６６が雄止め具Ａの突起部１０の掛合部１２、より具体的には突起部１０に設けられた凹部１４内に入り込み、該凹部１４の上面１４ａに対して掛合状態とされる。
【００４４】
かかる掛合手段Ｆを構成する操作プレート６０における掛合突片６６の突き出されている側を、前記雄留め具Ａの突起部１０の掛合部１２を構成する凹部１４の開口している側に向けて、この雌留め具本体４０を取付け対象物Ｅの先端側に設ける。この雌留め具本体４０の備えられる取付け対象物Ｅは、例えば、ハンドバッグ、鞄の蓋片などの皮生地材などの取付け生地７０の先端側に凹欠７１を備えたものとして構成されている。
かかる取付け対象物Ｅを構成する取付け生地７０の先端側に設けられる凹欠７１に対して、前記表面板４１から下方に向けて突き出すように設けられた箱状突き出し部４２を収め入れるようになすと共に、表面板４１の周側部に設けられている当接面４１ｂを、この凹欠７１の周側にある取付け対象物Ｅの表面側Ｅｂに当接するように添装し、且つ、この雌留め具本体４０に備えられている掛止突片４７を該取付け対象物Ｅに設けられている孔７２から、当該取付け対象物Ｅの裏面側Ｅａの側に添装するようにした取付けプレート５０の掛止孔５１に差し入れ、この掛止孔５１内に設けてある掛止突部５２に掛止することで、当該雌留め具Ｂを取付け対象物Ｅに取付けてある。
【００４５】
尚、この取付け対象物Ｅに対する雌留め具本体４０の取付けに用いられる取付けプレート５０は、前記雌留め具本体４０に近似した楕円状体にあって、その長さ側に沿った一方の側から他方の側に向けて前記凹欠７１に対応するように前記箱状突き出し部４２を収め入れる凹部５３を備えた弧状に構成してあり、前記雌留め具本体４０における当接面４１ｂに略対応した当接面５４を上面側に備えていると共に、前記掛止突片４７の差し込まれる掛止孔５１を厚さ方向に有し、しかも、この掛止突片４７の先端に設けられている掛止突部４７ａに掛止される掛止突部５２を該掛止孔５１内に備えた構成としてある。
【００４６】
尚、図中４３は、動作凹部４５を構成する箱状突き出し部４２の開口側にあって、各側板部４２ａから更に側方に延設された前板を示している。又、４４は、雌留め具本体４０を取付け対象物Ｅを介して取付けプレート５０に組付ける際に、孔７３から取付けプレート５０の筒状ボス５５に差し込まれる突起を示している。
【００４７】
【発明の効果】
この発明に係る雄留め具は、雌留め具に備えられている雌孔に差し入れられると共に該雌留め具に備えられている掛合手段に係脱可能に掛合される掛合部を備えた突起部と、この突起部の下部側に該突起部に一体に設けられている取付け鍔状部とを備え、取付け対象物に対して、この取付け対象物に設けられている取付け穴に前記突起部を挿通し、且つ、この取付け穴を取り囲む取付け対象物の裏面側に前記取付け鍔状部を当接させるようにした雄留め具本体と、
この雄留め具本体の前記突起部の挿通される組付け孔を板厚方向に有すると共に、該組付け孔に前記取付け対象物から突き出される前記雄留め具本体の突起部を挿通させるようにして該取付け対象物の表面側に添装される取付けプレートとを有し、
且つ、前記取付け対象物を挾んで備えられる雄留め具本体と取付けプレートとを掛止する掛止突片及び該掛止突片の掛止される掛止部とよりなる掛止手段の一方が前記雄留め具本体に、他方が前記取付けプレートに備えられている構成としてあることから、取付け対象物の裏面側に雄留め具本体の取付け鍔状部が当接されると共に、この取付け対象物の裏面側にある取付け鍔状部と、この取付け対象物の表面側に添装される取付けプレートとの間において取付け対象物を挾持するように組付けられることとなり、この取付け雄留め具に対して、これを取付け対象物から引き離す向きに付加される外力は、この雄留め具の取付け鍔状部の接している該取付け対象物の裏面側に作用して取付けプレートに作用し、これらの外力を面的に受けることができる。
【図面の簡単な説明】
【図１】典型的な実施の形態に係る雄留め具を取付け対象物に取付ける状態を雄留め具本体と取付けプレートとを分離した状態で示す斜視図
【図２】同取付け対象物に取付けた雄留め具を雌留め具における掛合手段の入り込む向きと直交する向きで断面して開口１４ｃ側を示した断面図
【図３】同取付け対象物に取付けた雄留め具を雌留め具における掛合手段の入り込む向きでの断面図
【図４】同雄留め具を構成する雄留め具本体の一部破断平面図
【図５】同底面図
【図６】同雄留め具を構成する取付けプレートの平面図
【図７】同底面図
【図８】同雄留め具の掛合に用いられる雌留め具を構成する操作プレートを備えた雌留め具本体の底面図
【図９】同雄留め具の掛合に用いられる雌留め具の各構成部品を分離し、取付け対象物と共に示す斜視図
【図１０】同雄留め具と、これに掛合される雌留め具の留めつけ状態を、その留めつけの前の状態で示す断面図
【図１１】同雄留め具の突起部を雌留め具の雌孔に差し入れている状態の断面図
【図１２】同雄留め具に雌留め具を掛合した状態の断面図
【図１３】同雄留め具を雌留め具との掛合を解いて引き離した状態の断面図
【符号の説明】
１０  突起部
１１  取付け鍔状部
１２  掛合部
２１  組付け孔
４６  雌孔
Ａ  雄留め具
Ａ’  雄留め具本体
Ａ”  取付けプレート
Ｂ  雌留め具
Ｃ  取付け対象物
Ｄ  掛止手段
Ｆ  掛合手段
【図１】
0004021549.tif 000002
【図２】
0004021549.tif 000003
【図３】
0004021549.tif 000004
【図４】
0004021549.tif 000005
【図５】
0004021549.tif 000006
【図６】
0004021549.tif 000007
【図７】
0004021549.tif 000008
【図８】
0004021549.tif 000009
【図９】
0004021549.tif 000010
【図１０】
0004021549.tif 000011
【図１１】
0004021549.tif 000012
【図１２】
0004021549.tif 000013
【図１３】
0004021549.tif 000014